(57)【要約】      （修正有）【課題】背景の視認性及び表示品位を向上することが可能な表示システムを提供する。【解決手段】表示システムＳＹは、光散乱度が切替えられる透明なスクリーンＳＣ１と、プロジェクタＰＪ１と、プロジェクタＰＪ１とスクリーンＳＣ１との連動的な駆動を制御する制御部ＣＯＮと、を備える。制御部ＣＯＮは、プロジェクタＰＪ１を駆動しスクリーンＳＣ１に画像を投影させる期間に、スクリーンＳＣ１を駆動しスクリーンＳＣ１のうち少なくとも画像が投影される領域の一部の光散乱度を制御する。【選択図】図１
2020038293.tif 000002
【特許請求の範囲】
【請求項１】
光散乱度が切替えられる透明なスクリーンと、
プロジェクタと、
前記プロジェクタと前記スクリーンとの連動的な駆動を制御する制御部と、を備え、
前記制御部は、前記プロジェクタを駆動し前記スクリーンに画像を投影させる期間に、前記スクリーンを駆動し前記スクリーンのうち少なくとも前記画像が投影される領域の一部の光散乱度を制御する、
表示システム。
【請求項２】
前記制御部は、前記期間に、
前記スクリーンにおいて前記画像が投影される対象領域を散乱状態に切替え、前記対象領域の光散乱度を制御し、
前記スクリーンにおいて前記対象領域以外の非対象領域を透明状態に設定する、
請求項１に記載の表示システム。
【請求項３】
前記制御部は、前記期間に、
前記スクリーン上の前記画像に対応付けて前記対象領域の位置、サイズ、及び形状を調整する、
請求項２に記載の表示システム。
【請求項４】
前記制御部は、前記期間に、
位置、サイズ、及び形状に関して、前記対象領域を前記スクリーン上の前記画像と同一となるように調整する、
請求項３に記載の表示システム。
【請求項５】
前記制御部は、前記期間に、
前記対象領域の形状を、前記スクリーン上の前記画像の形状と相似となるように調整し、
前記対象領域のサイズを、前記スクリーン上の前記画像のサイズより大きくなるように調整する、
請求項３に記載の表示システム。
【請求項６】
第２プロジェクタをさらに備え、
前記プロジェクタは、第１プロジェクタであり、
前記制御部は、
前記第１プロジェクタと前記第２プロジェクタと前記スクリーンとの連動的な駆動を制御し、
前記期間に、前記第１プロジェクタ及び前記第２プロジェクタを駆動し前記スクリーンの両側から前記スクリーンの両面に前記画像を同時に投影させる、
請求項１に記載の表示システム。
【請求項７】
前記制御部は、前記期間に、
前記第１プロジェクタ及び前記第２プロジェクタから前記スクリーンに同一の前記画像を投影し、
前記第１プロジェクタが投影する前記画像及び前記第２プロジェクタが投影する前記画像を、前記スクリーン上にて面対称となるように調整する、
請求項６に記載の表示システム。
【請求項８】
鏡をさらに備え、
前記スクリーンは、前記鏡の鏡面に張り合わせられている、
請求項１に記載の表示システム。
【請求項９】
前記スクリーンを含む複数のスクリーンであって、各々の前記スクリーンは投影面を有する、前記複数のスクリーンを備え、
前記複数のスクリーンは、重ねられ、かつ、各々の前記投影面が同一方向を向くように並べられ、
前記制御部は、
前記プロジェクタと前記複数のスクリーンとの連動的な駆動を制御し、前記複数のスクリーンの前記複数の投影面に時分割的に前記画像を投影させ、前記複数のスクリーンを透明状態に設定しつつ時分割的に散乱状態に切替え、
請求項１に記載の表示システム。
【請求項１０】
前記制御部は、前記期間に、
前記複数のスクリーンの一のスクリーン又は幾つかのスクリーンの各々において、前記画像が投影される対象領域を前記散乱状態に切替え前記対象領域の光散乱度を制御し、前記対象領域以外の非対象領域を前記透明状態に設定し、
前記複数のスクリーンのうち前記対象領域を含んでいない残りのスクリーンを前記透明状態に設定する、
請求項９に記載の表示システム。
【請求項１１】
前記プロジェクタを含む複数のプロジェクタであって、前記複数のプロジェクタは、前記複数のスクリーンに一対一で対応し、対応するスクリーンに焦点が合わせられている、前記複数のプロジェクタを備え、
前記制御部は、
前記複数のプロジェクタと前記複数のスクリーンとの連動的な駆動を制御し、
前記複数のプロジェクタを時分割的に駆動し、対応する前記スクリーンに時分割的に前記画像を投影させ、前記複数のスクリーンを前記透明状態に設定しつつ時分割的に前記散乱状態に切替える、
請求項９に記載の表示システム。
【請求項１２】
前記スクリーンは、画像が投影される表示領域と、前記表示領域に位置しマトリクス状に設けられた複数の画素電極と、前記表示領域に位置した共通電極と、前記表示領域に位置した表示機能層と、を有し、
前記制御部は、前記共通電極を駆動し、前記複数の画素電極を個別に駆動し、前記共通電極と前記複数の画素電極との間にかかる電圧が前記表示機能層に印加されることにより、前記表示機能層を透明状態及び散乱状態に切替える、
請求項１に記載の表示システム。
【請求項１３】
前記制御部は、前記プロジェクタから前記スクリーンまでの距離、及び前記プロジェクタから前記スクリーンに前記画像を投影する角度に基づいて、前記スクリーン上の前記画像のサイズ及び形状を調整する、
請求項１に記載の表示システム。
【請求項１４】
前記プロジェクタは、カメラを有し、
前記制御部は、前記カメラを用いて前記スクリーン上の１個以上の任意の形状のパターンをモニタし、前記距離及び前記角度の情報を取得する、
請求項１３に記載の表示システム。
【請求項１５】
前記制御部は、前記パターンをモニタする際、前記スクリーンの光散乱度を部分的に異ならせることで前記スクリーンに前記パターンを表示させる、
請求項１４に記載の表示システム。
【請求項１６】
前記スクリーンは、透明状態及び散乱状態に切替えられる表示機能層を有し、
前記表示機能層は、リバース型高分子分散液晶を利用した液晶層である、
請求項１に記載の表示システム。
【請求項１７】
前記スクリーンは、透明状態及び散乱状態に切替える複数の電気泳動素子を有する、
請求項１に記載の表示システム。
【発明の詳細な説明】
【技術分野】
【０００１】
本発明の実施形態は、表示システムに関する。
【背景技術】
【０００２】
昨今の大型の液晶表示装置の急速な普及に伴い、液晶表示装置をサイネージ向けの表示装置として適用する例が広がりつつある。これらは表示内容を任意のタイミングで自由に変更可能であることから、従来型サイネージに対して動画も含めた様々なコンテンツに対応可能であるため、急速に広がりつつあった。しかしながら、大型の表示装置は表示面が空間に占める専有面積が非常に大きく、特に非表示の状態にある場合では表示装置自体が圧迫感を与える物体と化す等の問題が指摘されている。そのため、例えば公園等の公共の空間への大型の表示装置の設置には限界があった。これに対し、透明なスクリーンをそのまま表示装置として活用する提案もなされている。例えば透明なアクリルなどの基材に光散乱性の物質を混ぜ合わせる事で、ある程度の透明性と光散乱性を同時に持たせ、これに光学投射装置から映像を投射する事により透明な表示装置を実現しようとするものである。
【０００３】
しかしながら、上記の方式では、透明度と光散乱度合いとがトレードオフの関係にあり、投射映像をしっかり見せようとすると透明度が下がって通常の投射型の表示装置のスクリーンと変わらない状態になり、逆に透明度を上げようとすると投射する映像が見えにくくなって特に屋外の直射日光下における表示装置としては現実的な解とは言えない状況にあった。そのため上記光散乱性の物質を混ぜ込んだスクリーンは劇場等の屋内の暗いステージに設置されることが多く、例えばコンサート等の主にエンターテイメント用途に使われることが多かった。
【先行技術文献】
【特許文献】
【０００４】
【特許文献１】特開２０１８−２１９７５号公報
【発明の概要】
【発明が解決しようとする課題】
【０００５】
本実施形態は、背景の視認性及び表示品位を向上することが可能な表示システムを提供する。
【課題を解決するための手段】
【０００６】
一実施形態に係る表示システムは、光散乱度が切替えられる透明なスクリーンと、プロジェクタと、前記プロジェクタと前記スクリーンとの連動的な駆動を制御する制御部と、を備え、前記制御部は、前記プロジェクタを駆動し前記スクリーンに画像を投影させる期間に、前記スクリーンを駆動し前記スクリーンのうち少なくとも前記画像が投影される領域の一部の光散乱度を制御する。
【図面の簡単な説明】
【０００７】
【図１】図１は、第１の実施形態に係る表示システムを示す斜視図である。
【図２】図２は、上記表示システムの光散乱装置の構成例を示す平面図である。
【図３】図３は、図１に示したスクリーン及び配線基板の断面図である。
【図４】図４は、図１に示した光散乱装置の主要な構成要素を示す図である。
【図５Ａ】図５Ａは、透明状態の液晶層を模式的に示す図である。
【図５Ｂ】図５Ｂは、散乱状態の液晶層を模式的に示す図である。
【図６Ａ】図６Ａは、液晶層が透明状態である場合のスクリーンを示す断面図である。
【図６Ｂ】図６Ｂは、液晶層が散乱状態である場合のスクリーンを示す断面図である。
【図７】図７は、液晶層の散乱特性を示すグラフである。
【図８】図８は、散乱駆動におけるコモン電圧と調整信号の一例を示す図である。
【図９】図９は、透明駆動におけるコモン電圧と調整信号の一例を示す図である。
【図１０】図１０は、透明駆動におけるコモン電圧と調整信号の他の例を示す図である。
【図１１】図１１は、上記スクリーンを示す斜視図であり、スクリーンの対象領域が散乱状態に切替えられ、スクリーンの非対象領域が透明状態に設定され、スクリーンが非対象領域越しに背景を視認可能な状態となっている様子を示す図である。
【図１２】図１２は、上記表示システムのスクリーン及びプロジェクタを示す斜視図であり、プロジェクタが図１１に示したスクリーンに画像を投影し、スクリーンの対象領域に画像を表示している様子を示す図である。
【図１３】図１３は、第２の実施形態に係る表示システムを示す断面図である。
【図１４】図１４は、上記第２の実施形態に係る表示システムのスクリーンを示す斜視図であり、スクリーンを第１投影面とは反対側から見た図である。
【図１５】図１５は、第３の実施形態に係る表示システムを示す断面図である。
【図１６】図１６は、上記第３の実施形態に係る表示システムのスクリーンを示す斜視図であり、スクリーンを第２投影面側から見た図である。
【図１７】図１７は、第４の実施形態に係る表示システムを示す断面図である。
【図１８】図１８は、上記スクリーンを示す斜視図であり、スクリーンの第１対象領域、第２対象領域、及び第３対象領域が散乱状態に切替えられ、スクリーンの非対象領域が透明状態に設定されている様子を示す図である。
【図１９】図１９は、プロジェクタが図１７に示したスクリーンに画像を投影し、スクリーンの第１対象領域、第２対象領域、及び第３対象領域にそれぞれ画像を表示している様子を示す図である。
【図２０】図２０は、第５の実施形態に係る表示システムのスクリーンの第１基板を示す平面図であり、各種の電極、及び複数の配線を示す図である。
【図２１】図２１は、第６の実施形態に係る表示システムのスクリーン、プロジェクタ、及び鏡を示す斜視図であり、上記スクリーンが上記鏡の鏡面に張り合わせられ、上記プロジェクタが上記スクリーンに画像を投影している様子を示す図である。
【図２２】図２２は、第７の実施形態に係る表示システムを示す断面図であり、上記表示システムが複数のスクリーンを備えている様子を示す図である。
【図２３】図２３は、第８の実施形態に係る表示システムの複数のスクリーンと複数のプロジェクタとを示す断面図である。
【図２４】図２４は、第９の実施形態に係る表示システムのスクリーン及びプロジェクタを示す斜視図であり、上記スクリーン上のパターンをモニタし、上記プロジェクタから上記スクリーンまでの距離、及び上記プロジェクタから上記スクリーンに画像を投影する角度の情報を取得する様子を示す図である。
【図２５】図２５は、第１０の実施形態に係る表示システムのスクリーンを示す斜視図であり、上記スクリーンのうち画像が投影される領域の一部の光散乱度が制御されている様子を示す図である。
【図２６】図２６は、比較例１に係る表示システムのスクリーン及びプロジェクタを示す斜視図であり、上記スクリーンの表示領域の全体の光散乱度を高く設定し、プロジェクタが上記スクリーンに画像を投影し、スクリーンの対象領域に画像を表示している様子を示す図である。
【図２７】図２７は、比較例２に係る表示システムのスクリーン及びプロジェクタを示す斜視図であり、上記スクリーンの表示領域の全体の光散乱度を低く設定し、プロジェクタが上記スクリーンに画像を投影し、スクリーンの対象領域に画像を表示している様子を示す図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）  
まず、第１の実施形態に係る表示システムＳＹについて説明する。図１は、第１の実施形態に係る表示システムＳＹを示す斜視図である。  
図１に示すように、表示システムＳＹは、光散乱装置ＤＳＰと、光学プロジェクション機器であるプロジェクタＰＪ１１と、制御部ＣＯＮと、を備えている。光散乱装置ＤＳＰは、透明なスクリーンＳＣ１と、駆動部ＤＲ１と、を備えている。本実施形態において、光散乱装置ＤＳＰは、高分子分散型液晶を適用した液晶表示装置であり、スクリーンＳＣ１は液晶表示パネルである。スクリーンＳＣ１は、光散乱度が切替え可能に構成されている。制御部ＣＯＮは、プロジェクタＰＪ１及びスクリーンＳＣ１の両方に有線接続又は無線接続されている。制御部ＣＯＮは、駆動部ＤＲ１及びプロジェクタＰＪ１から独立して設けられている。但し、本実施形態と異なり、制御部ＣＯＮは、駆動部ＤＲ１と一体に設けられていてもよく、又はプロジェクタＰＪ１と一体に設けられていてもよい。制御部ＣＯＮは、プロジェクタＰＪ１とスクリーンＳＣ１との連動的な駆動を制御するように構成されている。
【００１０】
図２は、上記表示システムＳＹの光散乱装置ＤＳＰの構成例を示す平面図である。  
図２に示すように、第１方向Ｘ及び第２方向Ｙは互いに交差する方向であり、第３方向Ｚは第１方向Ｘ及び第２方向Ｙと交差する方向である。一例では、第１方向Ｘ、第２方向Ｙ及び第３方向Ｚは、互いに直交しているが、互いに９０度以外の角度で交差していてもよい。本明細書において、第３方向Ｚを示す矢印の先端に向かう方向を前方（あるいは、単に上）と称し、矢印の先端から逆に向かう方向を後方（あるいは、単に下）と称する。
【００１１】
光散乱装置ＤＳＰは、スクリーンＳＣ１、配線基板Ｆ１，Ｆ２，Ｆ４，Ｆ５などを備えている。スクリーンＳＣ１は、画像が投影され光散乱度を切替え可能な表示領域ＤＡと、表示領域ＤＡを囲む額縁状の非表示領域ＮＤＡと、を備えている。表示領域ＤＡは、ｎ本のゲート線Ｇ（Ｇ１〜Ｇｎ）、ｍ本のソース線Ｓ（Ｓ１〜Ｓｍ）などを備えている。なお、ｎ及びｍはいずれも正の整数であり、ｎがｍと等しくてもよいし、ｎがｍとは異なっていてもよい。複数のゲート線Ｇは、それぞれ第１方向Ｘに延在し、第２方向Ｙに間隔をおいて並んでいる。複数のソース線Ｓは、それぞれ第２方向Ｙに延在し、第１方向Ｘに間隔をおいて並んでいる。スクリーンＳＣ１は、第１方向Ｘに沿った端部Ｅ１及びＥ２と、第２方向Ｙに沿った端部Ｅ３及びＥ４とを有している。
【００１２】
配線基板Ｆ１は、ゲートドライバＧＤを備えている。ゲートドライバＧＤには複数のゲート線Ｇが接続されている。配線基板Ｆ２は、ソースドライバＳＤを備えている。ソースドライバＳＤには複数のソース線Ｓが接続されている。配線基板Ｆ１及びＦ２は、それぞれスクリーンＳＣ１及び配線基板Ｆ４に接続されている。配線基板Ｆ５は、タイミングコントローラＴＣや電源回路ＰＣなどを備えている。配線基板Ｆ４は、配線基板Ｆ５のコネクタＣＴに接続されている。なお、配線基板Ｆ１及びＦ２は、単一の配線基板に置換されてもよい。また、配線基板Ｆ１，Ｆ２，Ｆ４は、単一の配線基板に置換されてもよい。上述したゲートドライバＧＤ、ソースドライバＳＤ、及びタイミングコントローラＴＣは本実施形態の駆動部ＤＲ１を構成し、駆動部ＤＲ１は、複数のゲート線Ｇ、複数のソース線Ｓ、後述する複数の画素電極、及び後述する共通電極のそれぞれの駆動を制御するように構成されている。
【００１３】
図３は、図１に示したスクリーンＳＣ１及び配線基板Ｆ１，Ｆ２の断面図である。ここでは、第２方向Ｙ及び第３方向Ｚによって規定されるＹ−Ｚ平面における光散乱装置ＤＳＰの断面において、主要部のみを説明する。
【００１４】
図３に示すように、表示パネルＰＮＬは、第１基板ＳＵＢ１、第２基板ＳＵＢ２、表示機能層としての液晶層３０などを備えている。第１基板ＳＵＢ１は、透明基板１０、画素電極１１、配向膜１２などを備えている。第２基板ＳＵＢ２は、透明基板２０、共通電極２１、配向膜２２などを備えている。画素電極１１及び共通電極２１は、例えばインジウム錫酸化物（ＩＴＯ）やインジウム亜鉛酸化物（ＩＺＯ）などの透明導電材料によって形成されている。液晶層３０は、少なくとも表示領域ＤＡに位置している。
【００１５】
液晶層３０は、高分子分散液晶を含み、配向膜１２と配向膜２２との間に位置している。本実施形態の液晶層３０は、リバース型高分子分散液晶（R-PDLC：reverse mode polymer dispersed liquid crystal）を利用している。上記の液晶層３０は、印加される電圧が低い場合に入射される光の平行度を維持し、印加される電圧が高い場合に入射される光を散乱させる。第１基板ＳＵＢ１及び第２基板ＳＵＢ２は、シール材４０によって接着されている。第１基板ＳＵＢ１は、透明基板２０の端部Ｅ５よりも第２方向Ｙに延出した延出部ＥＸを有している。  
配線基板Ｆ１及びＦ２は、第１基板ＳＵＢ１の延出部ＥＸに接続されている。
【００１６】
図４は、図１に示した光散乱装置ＤＳＰの主要な構成要素を示す図である。  
図４に示すように、光散乱装置ＤＳＰは、図中に破線で示す駆動部ＤＲ１を備えている。駆動部ＤＲ１は、タイミングコントローラＴＣ、ゲートドライバＧＤ、ソースドライバＳＤ、Ｖｃｏｍ回路ＶＣなどを含んでいる。  
タイミングコントローラＴＣは、外部から入力された画像データや同期信号などに基づいて各種信号を生成する。一例では、タイミングコントローラＴＣは、画像データに基づき、所定の信号処理を行って生成した調整信号をソースドライバＳＤに出力する。また、タイミングコントローラＴＣは、同期信号に基づいて生成した制御信号を、ゲートドライバＧＤ、ソースドライバＳＤ、及びＶｃｏｍ回路ＶＣにそれぞれ出力する。タイミングコントローラＴＣの詳細については後述する。
【００１７】
図中に二点鎖線で示す表示領域ＤＡは、複数の画素ＰＸを備えている。各画素ＰＸは、スイッチング素子ＳＷ及び画素電極１１を備えている。スイッチング素子ＳＷは、例えば薄膜トランジスタで形成されている。スイッチング素子ＳＷは、ゲート線Ｇ及びソース線Ｓと電気的に接続されている。複数の画素電極１１は、表示領域ＤＡに位置し、マトリクス状に設けられている。画素電極１１は、スイッチング素子ＳＷを介してソース線Ｓに接続されている。共通電極２１は表示領域ＤＡに位置している。共通電極２１は、複数の画素電極１１と対向している。なお、本実施形態と異なり、共通電極２１は、少なくとも１つの画素ＰＸ毎に区切られ、各々共通線に接続され、共通のコモン電圧が印加される構成でもよい。
【００１８】
ゲート線Ｇの各々には、ゲートドライバＧＤからゲート信号が供給される。ソース線Ｓの各々には、ソースドライバＳＤから調整信号が供給される。共通電極２１には、Ｖｃｏｍ回路ＶＣからコモン電圧Ｖｃｏｍが供給される。ソース線Ｓに供給された調整信号は、ゲート線Ｇに供給されたゲート信号に基づいてスイッチング素子ＳＷが導通状態となった期間に、当該スイッチング素子ＳＷに接続された画素電極１１に印加される。以下の説明においては、画素電極１１に調整信号を与えて画素電極１１と共通電極２１との間に電位差を形成することを、当該画素電極１１を備える画素ＰＸに調整信号を書き込む（或いは電圧を印加する）と記載することがある。
【００１９】
以下に、高分子分散液晶層である液晶層３０を備えた光散乱装置の一構成例について説明する。図５Ａは、透明状態の液晶層３０を模式的に示す図である。  
図５Ａに示すように、液晶層３０は、液晶性ポリマ３１及び液晶性分子３２を含んでいる。液晶性ポリマ３１は、例えば、液晶性モノマが配向膜１２及び２２の配向規制力によって所定の方向に配向した状態で高分子化されることによって得られる。液晶性分子３２は、液晶性モノマ内に分散されており、液晶性モノマが高分子化された際に、液晶性モノマの配向方向に依存して所定の方向に配向される。なお、配向膜１２及び２２は、第１方向Ｘ及び第２方向Ｙによって規定されるＸ−Ｙ平面に沿って液晶性モノマ及び液晶性分子３２を配向させる水平配向膜であってもよいし、第３方向Ｚに沿って液晶性モノマ及び液晶性分子３２を配向させる垂直配向膜であってもよい。
【００２０】
液晶性分子３２は、正の誘電率異方性を有するポジ型であってもよいし、負の誘電率異方性を有するネガ型であってもよい。液晶性ポリマ３１及び液晶性分子３２は、それぞれ同等の光学異方性を有している。あるいは、液晶性ポリマ３１及び液晶性分子３２は、それぞれ略同等の屈折率異方性を有している。つまり、液晶性ポリマ３１及び液晶性分子３２の各々は、常光屈折率及び異常光屈折率が互いに略同等である。なお、常光屈折率及び異常光屈折率のいずれについても、液晶性ポリマ３１及び液晶性分子３２のそれぞれの値が完全に一致していなくてもよく、製造誤差などに起因したずれは許容される。また、液晶性ポリマ３１及び液晶性分子３２の各々の電界に対する応答性は異なる。すなわち、液晶性ポリマ３１の電界に対する応答性は、液晶性分子３２の電界に対する応答性より低い。
【００２１】
図５Ａに示した例は、例えば、液晶層３０に電圧が印加されていない状態（画素電極１１と共通電極２１との間の電位差がゼロである状態）、あるいは、液晶層３０に後述する第２透明電圧が印加された状態に相当する。
【００２２】
図５Ａに示すように、液晶性ポリマ３１の光軸Ａｘ１及び液晶性分子３２の光軸Ａｘ２は、互いに平行となる。図示した例では、光軸Ａｘ１及び光軸Ａｘ２は、いずれも第３方向Ｚに平行である。ここでの光軸とは、偏光方向によらず屈折率が１つの値になるような光線の進行方向と平行な線に相当する。
【００２３】
上記の通り、液晶性ポリマ３１及び液晶性分子３２は略同等の屈折率異方性を有しており、しかも、光軸Ａｘ１及びＡｘ２は互いに平行であるため、第１方向Ｘ、第２方向Ｙ、及び第３方向Ｚを含むあらゆる方向において、液晶性ポリマ３１と液晶性分子３２との間にほとんど屈折率差がない。このため、第３方向Ｚにて液晶層３０に入射した光Ｌ１は、液晶層３０内で実質的に散乱されることなく透過する。液晶層３０は、光Ｌ１の平行度を維持することができる。同様に、第３方向Ｚに対して傾斜した斜め方向に入射した光Ｌ２及びＬ３についても、液晶層３０内でほとんど散乱されることはない。このため、高い透明性が得られる。図５Ａに示した状態を『透明状態』と称する。
【００２４】
図５Ｂは、散乱状態の液晶層３０を模式的に示す図である。  
図５Ｂに示すように、上記の通り、液晶性ポリマ３１の電界に対する応答性は、液晶性分子３２の電界に対する応答性より低い。このため、液晶層３０に上記の第２透明電圧及び後述する第１透明電圧の各々より高い電圧（後述の散乱電圧）が印加された状態では、液晶性ポリマ３１の配向方向がほとんど変化しないのに対して、液晶性分子３２の配向方向は電界に応じて変化する。つまり、図示したように、光軸Ａｘ１は第３方向Ｚとほとんど平行であるのに対して、光軸Ａｘ２は第３方向Ｚに対して傾斜している。このため、光軸Ａｘ１及びＡｘ２は、互いに交差する。したがって、第１方向Ｘ、第２方向Ｙ、及び第３方向Ｚを含むあらゆる方向において、液晶性ポリマ３１と液晶性分子３２との間に大きな屈折率差が生ずる。これにより、液晶層３０に入射した光Ｌ１乃至Ｌ３は、液晶層３０内で散乱される。図５Ｂに示した状態を『散乱状態』と称する。  
制御部は、液晶層３０を透明状態及び散乱状態の少なくとも一方に切替える。
【００２５】
図６Ａは、液晶層３０が透明状態である場合のスクリーンＳＣ１を示す断面図である。図６Ａに示すように、スクリーンＳＣ１に入射する外部光Ｌ１２は、液晶層３０でほとんど散乱されることなく透過する。外部光Ｌ１２としては、プロジェクタＰＪ１がスクリーンＳＣ１に画像を投影する際にプロジェクタＰＪ１が出射する光が挙げられる。ここで、スクリーンＳＣ１において、透明基板２０の透明基板１０と対向する側とは反対側の面を第１投影面ＳＵ１とし、透明基板１０の透明基板２０と対向する側とは反対側の面を第２投影面ＳＵ２とする。
【００２６】
例えば、第１投影面ＳＵ１側から液晶層３０に入射した外部光Ｌ１２は第２投影面ＳＵ２に透過され、第２投影面ＳＵ２側から液晶層３０に入射した外部光Ｌ１２は第１投影面ＳＵ１に透過される。このため、スクリーンＳＣ１を第１投影面ＳＵ１側から観察した場合には、ユーザは、スクリーンＳＣ１を透かして第２投影面ＳＵ２側の背景を視認することができる。同様に、スクリーンＳＣ１を第２投影面ＳＵ２側から観察した場合には、スクリーンＳＣ１を透かして第１投影面ＳＵ１側の背景を視認することができる。
【００２７】
図６Ｂは、液晶層３０が散乱状態である場合のスクリーンＳＣ１を示す断面図である。図６Ｂに示すように、図示した例では、画素電極１１αと共通電極２１との間の液晶層３０（画素電極１１αと共通電極２１との間に印加される電圧が印加される液晶層）は透明状態である。そのため、画素電極１１αと重なる位置では、スクリーンＳＣ１に入射する外部光Ｌ２２は、図６Ａに示した外部光Ｌ１２と同様に、液晶層３０でほとんど散乱されることなく透過する。
【００２８】
一方、画素電極１１βと共通電極２１との間の液晶層３０（画素電極１１βと共通電極２１との間に印加される電圧が印加される液晶層）は散乱状態である。  
そのため、画素電極１１βと重なる位置では、第１投影面ＳＵ１側から液晶層３０に外部光Ｌ２４が入射されると、外部光Ｌ２４は液晶層３０で散乱され、外部光Ｌ２４の一部の光Ｌ２４１は第１投影面ＳＵ１から出射され、外部光Ｌ２４の別一部の光Ｌ２４２は第２投影面ＳＵ２から出射（透過）される。この場合、光Ｌ２４１の光量は、光Ｌ２４２の光量より多い。上記のことから、プロジェクタＰＪ１が出射する光が外部光Ｌ２４である場合、スクリーンＳＣ１を第２投影面ＳＵ２側から観察するより第１投影面ＳＵ１側から観察した方が、ユーザは、スクリーンＳＣ１に投影される画像を視認し易い。
【００２９】
又は、画素電極１１βと重なる位置では、第２投影面ＳＵ２側から液晶層３０に外部光Ｌ２３が入射されると、外部光Ｌ２３は液晶層３０で散乱され、外部光Ｌ２３の一部の光Ｌ２３１は第２投影面ＳＵ２から出射され、外部光Ｌ２３の別一部の光Ｌ２３２は第１投影面ＳＵ１から出射（透過）される。この場合、光Ｌ２３１の光量は、光Ｌ２３２の光量より多い。上記のことから、プロジェクタＰＪ１が出射する光が外部光Ｌ２３である場合、スクリーンＳＣ１を第１投影面ＳＵ１側から観察するより第２投影面ＳＵ２側から観察した方が、ユーザは、スクリーンＳＣ１に投影される画像を視認し易い。
【００３０】
上記のことから、プロジェクタＰＪ１が出射する光が外部光Ｌ２４であり、スクリーンＳＣ１を第１投影面ＳＵ１側から観察する場合、ユーザには、光Ｌ２４１が入射されるだけではなく、第２投影面ＳＵ２側の背景に関する光も光Ｌ２３２として入射され得る。そのため、液晶層３０の光散乱度が低い場合、ユーザは、プロジェクタＰＪ１がスクリーンＳＣ１に投影した画像と、第２投影面ＳＵ２側の背景との両方を視認できる場合があり得る。
【００３１】
また、プロジェクタＰＪ１が出射する光が外部光Ｌ２４であり、スクリーンＳＣ１を第２投影面ＳＵ２側から観察する場合、ユーザには、光Ｌ２４２及び光Ｌ２３１が入射される。光Ｌ２４２は、プロジェクタＰＪ１が出射する光の成分と、第１投影面ＳＵ１側の背景に関する光の成分とを含んでいる。そのため、プロジェクタＰＪ１が出射する光の成分の光量及び第１投影面ＳＵ１側の背景に関する光の成分の光量の比率や、液晶層３０の光散乱度次第ではあるが、ユーザは、プロジェクタＰＪ１がスクリーンＳＣ１に投影した画像と、第１投影面ＳＵ１側の背景との両方を視認できる場合があり得る。  
なお、画素電極１１αと重なる位置では、液晶層３０が透明状態であるため、スクリーンＳＣ１を透かして背景を視認することができる。
【００３２】
上記のことから、制御部ＣＯＮは、共通電極２１を駆動し、複数の画素電極１１を個別に駆動し、共通電極２１と複数の画素電極１１との間にかかる電圧が液晶層３０に印加されることにより、液晶層３０を透明状態及び散乱状態に切替えるように構成されている。
【００３３】
図７は、液晶層３０の散乱特性を示すグラフであり、液晶層３０に印加される電圧ＶＬＣと輝度との関係を表している。ここでの輝度は、例えば図６Ｂに示したように、外部光Ｌ２４が液晶層３０にて散乱した際に得られる光Ｌ２４１の輝度に相当する。他の観点から言えば、この輝度は、液晶層３０の光散乱度を表している。但し、電圧ＶＬＣと輝度との関係は、図７に示す例に限定されるものではない。
【００３４】
図７に示すように、電圧ＶＬＣを０Ｖから上昇させていくと、輝度は８Ｖ程度から急峻に上昇し、２０Ｖ程度で飽和する。なお、電圧ＶＬＣが０Ｖから８Ｖの間においても、輝度は僅かに上昇する。本実施形態では、２点鎖線で囲った領域、すなわち８Ｖ＜ＶＬＣ≦１６Ｖの電圧を『散乱電圧』と呼ぶ。また、本実施形態では、一点鎖線で囲った領域、すなわち０Ｖ≦ＶＬＣ≦８Ｖの電圧を『透明電圧』と呼ぶ。透明電圧ＶＡは、第１透明電圧ＶＡ１及び第２透明電圧ＶＡ２を含んでいる。なお、散乱電圧ＶＢ及び透明電圧ＶＡの下限値及び上限値はこの例に限られず、液晶層３０の散乱特性に応じて適宜に定め得る。
【００３５】
ここで、液晶層３０に散乱電圧ＶＢを印加した際に液晶層３０に入射される光の散乱度が最も高くなる場合の光散乱度を１００％とする。ここでは、１６Ｖの散乱電圧ＶＢを液晶層３０に印加した際の光散乱度を１００％としている。例えば、透明電圧ＶＡは、光散乱度（輝度）が１０％未満となる電圧ＶＬＣの範囲と定義することができる。あるいは、透明電圧ＶＡは、最低階調に対応する電圧（図７の例では８Ｖ）以下の電圧ＶＬＣと定義することもできる。  
また、透明電圧ＶＡ（第１透明電圧ＶＡ１及び第２透明電圧ＶＡ２）は、図７に示した例と異なっていてもよい。例えば、上記第１透明電圧ＶＡ１は、光散乱度が１０％以上５０％以下の範囲となる電圧であってもよい。また、上記第２透明電圧ＶＡ２は、光散乱度が１０％未満の範囲となる電圧であってもよい。
【００３６】
なお、図７に示したグラフは、液晶層３０に印加する電圧の極性が正極性（＋）の場合と、負極性（−）の場合とに適用可能である。後者の場合、電圧ＶＬＣは、負極性の電圧の絶対値である。光散乱装置ＤＳＰには、液晶層３０に印加する電圧の極性を反転する極性反転駆動を適用することができる。
【００３７】
図８は、極性反転駆動を適用した駆動において、共通電極２１に供給されるコモン電圧Ｖｃｏｍと、ソース線Ｓ（あるいは画素電極１１）に供給される調整信号Ｖｓｉｇとの一例を示す図である。
【００３８】
図８に示すように、調整信号Ｖｓｉｇに関しては、液晶層３０に印加される電圧ＶＬＣが１６Ｖである場合（ｍａｘ）に相当する波形と、電圧ＶＬＣが８Ｖである場合（ｍｉｎ）に相当する波形と、を示している。ここでは、調整信号Ｖｓｉｇ（ｍｉｎ）の波形を実線で示し、コモン電圧Ｖｃｏｍの波形を二点鎖線で示し、調整信号Ｖｓｉｇ（ｍａｘ）の波形を破線で示している。この図の例において、コモン電圧Ｖｃｏｍ及び調整信号Ｖｓｉｇ（最大値の波形を参照）は、一フレーム期間Ｐｆごとに極性反転している。基準電圧Ｖｓｉｇ−ｃは、例えば８Ｖである。コモン電圧Ｖｃｏｍ及び調整信号Ｖｓｉｇの各々において、下限値は０Ｖであり、上限値は１６Ｖである。
【００３９】
図８に示す例に限らず、後述する図９の例を含めた極性反転駆動に注目すると、液晶層３０に印加する駆動電圧（画素ＰＸに書き込む電圧）が正極性である場合、調整信号Ｖｓｉｇとコモン電圧Ｖｃｏｍとの差（Ｖｓｉｇ−Ｖｃｏｍ）は０Ｖ又は正の電圧値となる。一方、液晶層３０に印加する駆動電圧（画素ＰＸに書き込む電圧）が負極性である場合、調整信号Ｖｓｉｇとコモン電圧Ｖｃｏｍとの差（Ｖｓｉｇ−Ｖｃｏｍ）は０Ｖ又は負の電圧値となる。
【００４０】
図８に示す極性反転駆動に注目すると、画素ＰＸに正極性の電圧を書き込む期間において、コモン電圧Ｖｃｏｍは０Ｖとなり、調整信号Ｖｓｉｇは８Ｖ以上かつ１６Ｖ以下の範囲で調整信号が示す光散乱度に応じた電圧値となる。一方、画素ＰＸに負極性の電圧を書き込む期間において、コモン電圧Ｖｃｏｍは１６Ｖとなり、調整信号Ｖｓｉｇは０Ｖ以上かつ８Ｖ以下の範囲で調整信号が示す光散乱度に応じた電圧値となる。すなわち、いずれの場合でも、共通電極２１と画素電極１１との間には、８Ｖ以上かつ１６Ｖ以下の電圧が印加される。
【００４１】
図７に示したように、液晶層３０に印加される電圧ＶＬＣが８Ｖであっても、言い換えると液晶層３０に第１透明電圧ＶＡ１が印加されても、液晶層３０は０〜１０％程度の光散乱度を有している。したがって、調整信号Ｖｓｉｇを階調の最小値とした場合であっても、スクリーンＳＣ１に入射する外部光は僅かに散乱され、スクリーンＳＣ１の背景の視認性が低下し得る場合がある。  
このため、画素電極１１と共通電極２１との間の電圧を例えば８Ｖよりも小さくする透明駆動を、随時、取り入れることで、スクリーンＳＣ１の背景の視認性を向上させることができる。
【００４２】
ここで、ソースドライバＳＤの出力と、コモン電圧Ｖｃｏｍとの関係について説明する。  
ソースドライバＳＤの耐電圧が低い場合、液晶印加電圧を高くするためにコモン電圧Ｖｃｏｍを反転駆動させる。この時ソースドライバＳＤは、同時に、正極性の調整信号Ｖｓｉｇ（例えば基準電圧Ｖｓｉｇ−ｃ〜１６Ｖ）、及び負極性の調整信号Ｖｓｉｇ（例えば０Ｖ〜基準電圧Ｖｓｉｇ−ｃ）の何れか一方しか、出力することができない。また、コモン電圧Ｖｃｏｍの極性は、ソースドライバＳＤの出力と反対の極性である。
【００４３】
但し、高耐電圧のソースドライバＳＤを使用する場合、調整信号Ｖｓｉｇとコモン電圧Ｖｃｏｍとの関係は、上述した関係であってもよいが、次の関係であってもよい。すなわち、コモン電圧Ｖｃｏｍは０Ｖに固定され、ソースドライバＳＤが出力する調整信号Ｖｓｉｇは、正極性時に０〜＋１６Ｖとなり、負極性時に−１６〜０Ｖとなる。
【００４４】
図９は、透明駆動におけるコモン電圧Ｖｃｏｍと調整信号Ｖｓｉｇの一例を示す図である。ここでは、調整信号Ｖｓｉｇの波形を実線で示し、コモン電圧Ｖｃｏｍの波形を二点鎖線で示している。  
図９に示すように、図８の例と同じく、コモン電圧Ｖｃｏｍは、一フレーム期間Ｐｆごとに０Ｖと１６Ｖとに交互に切替っている。透明駆動においては、フレーム期間Ｐｆごとに、調整信号Ｖｓｉｇの電圧値は、コモン電圧Ｖｃｏｍと一致している（Ｖｓｉｇ＝Ｖｃｏｍ＝０Ｖ又はＶｓｉｇ＝Ｖｃｏｍ＝１６Ｖ）。なお、図９においては、調整信号Ｖｓｉｇとコモン電圧Ｖｃｏｍの図示の関係上、両者を僅かにずらして表している。このため、液晶層３０には０Ｖが印加される。言い換えると、液晶層３０には第２透明電圧ＶＡ２が印加される。
【００４５】
但し、透明駆動におけるソース線電圧Ｖｓｉｇは、図９に示した例に限定されるものではない。例えば、コモン電圧Ｖｃｏｍが０Ｖとなる期間、ソース線電圧Ｖｓｉｇは０Ｖを超え８Ｖ未満となってもよい（０Ｖ＜Ｖｓｉｇ＜８Ｖ）。コモン電圧Ｖｃｏｍが１６Ｖとなる期間、ソース線電圧Ｖｓｉｇは８Ｖを超え１６Ｖ未満となってもよい（８Ｖ＜Ｖｓｉｇ＜１６Ｖ）。何れにおいても、透明駆動によれば、ソース線電圧Ｖｓｉｇとコモン電圧Ｖｃｏｍとの差の絶対値が８Ｖ未満となり、液晶層３０を透過する光の平行度が増す。言い換えると、第２透明電圧ＶＡ２は０Ｖに限らず、第２透明電圧ＶＡ２の絶対値は８Ｖ未満であってもよい。
【００４６】
なお、透明駆動では、液晶層３０に印加される電圧が例えば８Ｖ未満となればよく、調整信号Ｖｓｉｇはコモン電圧Ｖｃｏｍと完全に一致しなくてもよい。上記のように、液晶層３０に散乱電圧ＶＢを印加した際に液晶層３０に入射される光の散乱度が最も高くなる場合の散乱度を１００％とする。例えば、第２透明電圧ＶＡ２は、散乱度が１０％未満となる電圧である方が望ましい。
【００４７】
図１０は、透明駆動におけるコモン電圧Ｖｃｏｍと調整信号Ｖｓｉｇの他の例を示す図である。ここでは、調整信号Ｖｓｉｇの波形を実線で示し、コモン電圧Ｖｃｏｍの波形を二点鎖線で示している。  
図１０に示すように、この例では、透明駆動において、コモン電圧Ｖｃｏｍ及び調整信号Ｖｓｉｇの極性反転が停止されている。さらに、コモン電圧Ｖｃｏｍ及び調整信号Ｖｓｉｇが８Ｖ（上述の基準電圧Ｖｓｉｇ−ｃ）で一致している。なお、コモン電圧Ｖｃｏｍ及び調整信号Ｖｓｉｇは、０Ｖなど、基準電圧Ｖｓｉｇ−ｃ以外の電圧で一致してもよい。また、図９に示した場合と同様に、第２透明電圧ＶＡ２は、散乱度が１０％未満となる電圧である方が望ましい。
【００４８】
次に、制御部ＣＯＮにより駆動が制御されるスクリーンＳＣ１について説明する。図１１は、上記スクリーンＳＣ１を示す斜視図であり、スクリーンＳＣ１の対象領域ＯＡが散乱状態に切替えられ、スクリーンＳＣ１の非対象領域ＮＯＡが透明状態に設定され、スクリーンＳＣ１が非対象領域ＮＯＡ越しに背景を視認可能な状態となっている様子を示す図である。
【００４９】
図１１に示すように、制御部ＣＯＮは、駆動部ＤＲ１の駆動を制御し、スクリーンＳＣ１の表示領域ＤＡの光散乱度を制御することができる。制御部ＣＯＮは、スクリーンＳＣ１を駆動しスクリーンＳＣ１のうち少なくとも画像が投影される領域の一部の光散乱度を制御するように構成されている。
【００５０】
図１１においては、プロジェクタＰＪ１はスクリーンＳＣ１に画像を投影していない状態を表しており、制御部ＣＯＮは、スクリーンＳＣ１の表示領域ＤＡにおいて、画像が投影される対象領域ＯＡを散乱状態に切替え、対象領域ＯＡ以外の非対象領域ＮＯＡを透明状態に設定することができる。そのため、対象領域ＯＡにおいては、スクリーンＳＣ１の背景を視認し難くすることができ、例えば、スクリーンＳＣ１の後方に位置する３個の円柱のうち対象領域ＯＡに隠れる部分をユーザに視認し難くすることができる。一方、非対象領域ＮＯＡにおいては、スクリーンＳＣ１の背景を視認し易くすることができ、例えば、スクリーンＳＣ１の後方に位置する３個の円柱のうち対象領域ＯＡに隠れていない部分をユーザに視認し易くすることができる。
【００５１】
次に、光散乱度が制御され、かつ、プロジェクタから画像が投影されるスクリーンＳＣ１について説明する。図１２は、表示システムＳＹのスクリーンＳＣ１及びプロジェクタＰＪ１を示す斜視図であり、プロジェクタＰＪ１が図１１に示したスクリーンＳＣ１に画像を投影し、スクリーンＳＣ１の対象領域ＯＡに画像を表示している様子を示す図である。
【００５２】
図１２に示すように、プロジェクタＰＪ１は、画像データを有し、画像データに基づいてスクリーンＳＣ１に画像を投影することができる。上記画像データは光散乱装置ＤＳＰの駆動部ＤＲ１も有している。そのため、制御部ＣＯＮは、駆動部ＤＲ１の駆動を制御し、上記画像データに基づいてスクリーンＳＣ１の表示領域ＤＡの光散乱度を制御することができる。また、上述したように、制御部ＣＯＮは、プロジェクタＰＪ１とスクリーンＳＣ１との連動的に駆動することができる。
【００５３】
そのため、制御部ＣＯＮは、プロジェクタＰＪ１を駆動しスクリーンＳＣ１に画像ＣＨを投影させる期間に、スクリーンＳＣ１を駆動しスクリーンＳＣ１のうち少なくとも画像ＣＨが投影される領域の一部の光散乱度を制御することができる。図１２に示す例では、制御部ＣＯＮは、プロジェクタＰＪ１を駆動しスクリーンＳＣ１の対象領域ＯＡに画像ＣＨを投影させる。制御部ＣＯＮは、対象領域ＯＡに画像ＣＨを投影させる期間に、スクリーンＳＣ１において画像ＣＨが投影される対象領域ＯＡを散乱状態に切替え、対象領域ＯＡの光散乱度を制御し、非対象領域ＮＯＡを透明状態に設定する。
【００５４】
制御部ＣＯＮは、上記期間に、スクリーンＳＣ１上の画像に対応付けて対象領域ＯＡの位置、サイズ、及び形状を調整するように構成されている。例えば、制御部ＣＯＮは、上記期間に、位置、サイズ、及び形状に関して、対象領域ＯＡをスクリーンＳＣ１上の画像ＣＨと同一となるように調整することができる。図１２の例では、位置、サイズ、及び形状に関して、対象領域ＯＡとスクリーンＳＣ１上の画像ＣＨとで同一である。
【００５５】
又は、制御部ＣＯＮは、上記期間に、対象領域ＯＡの形状を、スクリーンＳＣ１上の画像ＣＨの形状と相似となるように調整してもよい。その際、対象領域ＯＡのサイズを、スクリーンＳＣ１上の画像ＣＨのサイズより大きくなるように調整したり、スクリーンＳＣ１上の画像ＣＨのサイズより小さくなるように調整したり、することができる。
【００５６】
また、対象領域ＯＡの光散乱度を制御する際、制御部ＣＯＮは、対象領域ＯＡの全体を同一の光散乱度に設定したり、対象領域ＯＡにおいて領域毎に異なる光散乱度に設定したり、することができる。なお、対象領域ＯＡの光散乱度が高い方が、スクリーンＳＣ１に投影される画像ＣＨの輝度レベルを高くすることができる。そのため、対象領域ＯＡにおいて領域毎に異なる光散乱度に設定する場合、画像ＣＨの輝度レベルを高くしたい領域の光散乱度を高くし、画像ＣＨの輝度レベルを低く抑えたい領域の光散乱度を低くすることができる。光散乱度の制御は、スクリーンＳＣ１の画素ＰＸ単位で行うことが可能である。
【００５７】
上記の他、プロジェクタＰＪ１が投影する画像の位置、サイズ、又は形状が経時変化する場合、例えば、プロジェクタＰＪ１がスクリーンＳＣ１に動画を投影する場合、制御部ＣＯＮは、対象領域ＯＡの位置、サイズ、又は形状をスクリーンＳＣ１に投影される画像に追随させて変化させてもよい。上述したように、プロジェクタＰＪ１及び駆動部ＤＲ１は、同一の画像データ（動画データ）を有し、制御部ＣＯＮはプロジェクタＰＪ１及びスクリーンＳＣ１を連動して駆動することができるため、プロジェクタＰＪ１による動画の投影にスクリーンＳＣ１の駆動を追随させることができる。
【００５８】
上記のように構成された第１の実施形態に係る表示システムＳＹによれば、スクリーンＳＣ１を屋外に配置して表示システムＳＹを使用することができる。スクリーンＳＣ１はアクティブマトリクス型の液晶表示パネルで構成され、液晶層３０はＲ−ＰＤＬＣを利用している。制御部ＣＯＮは、対象領域ＯＡを選択的に散乱状態に切替え、非対象領域ＮＯＡを透明状態に設定する。制御部ＣＯＮは、スクリーンＳＣ１に投影される画像ＣＨの輝度レベルの高低に連動して、対象領域ＯＡの光散乱度を制御する。
【００５９】
ユーザは画像ＣＨを視認し易くなる。又は、ユーザは画像ＣＨを視認する際に背景の影響を受け難くなる。これにより、背景の視認性及び表示品位を向上することが可能な表示装置ＤＳＰを得ることができる。そのため、表示領域ＤＡの全体に一様に光散乱材料が埋め込まれているスクリーンを使用する場合と比較し、透明な領域（非対象領域ＮＯＡ）と画像ＣＨが投射される領域（対象領域ＯＡ）とを明確に分離することが可能となる。スクリーンＳＣ１越しに背景をみた場合、透明状態に設定された非対象領域ＮＯＡにおいては背景をぼかし難いため、非対象領域ＮＯＡにおける背景の視認性の低下を抑制することができる。上述したことから、表示システムＳＹは、外交に影響されない画像ＣＨを表示することができる。
【００６０】
（第２の実施形態）  
次に、第２の実施形態に係る表示システムＳＹについて説明する。図１３は、第２の実施形態に係る表示システムＳＹを示す断面図である。  
図１３に示すように、本実施形態の表示システムＳＹは、筐体ＨＯと、光学系である第１反射鏡Ｍ１、第２反射鏡Ｍ２、及び第３反射鏡Ｍ３と、をさらに備えている。スクリーンＳＣ１、駆動部ＤＲ１、プロジェクタＰＪ１、第１乃至第３反射鏡Ｍ１乃至Ｍ３及び制御部ＣＯＮは、筐体ＨＯに組み込まれている。第１乃至第３反射鏡Ｍ１乃至Ｍ３を使用することにより、プロジェクタＰＪ１からスクリーンＳＣ１までの距離を上述した第１の実施形態と比較して短くすることができ、近距離投射型の表示システムＳＹを構成することができる。そのため、本実施形態の表示システムＳＹでは、上述した第１の実施形態の表示システムＳＹと比較し、全体のサイズの小型化を測ることができる。
【００６１】
また、スクリーンＳＣ１、プロジェクタＰＪ１、及び第１乃至第３反射鏡Ｍ１乃至Ｍ３は、筐体ＨＯに物理的に固定されている。そのため、スクリーンＳＣ１の対象領域ＯＡと、プロジェクタＰＪ１がスクリーンＳＣ１に投影する画像との位置ずれをきわめて小さくすることができる。
【００６２】
その他にも、本実施形態のように、表示システムＳＹを一体化することにより、屋外の公共空間等の様にスペースに制約がある場所や、家庭内の限られたスペースにも、大型の表示システムＳＹを導入することが可能となる。  
上述した第２の実施形態においても、上記第１の実施形態と同様の効果を得ることができる。
【００６３】
（第３の実施形態）  
次に、第３の実施形態に係る表示システムＳＹについて説明する。上記第２の実施形態では、プロジェクタＰＪ１がスクリーンＳＣ１に画像を投影する際、光は、第１投影面ＳＵ１側からのみ、液晶層３０に入射される。そのため、図６Ｂを用いて説明したように、スクリーンＳＣ１を第１投影面ＳＵ１側から視認するユーザは、スクリーンＳＣ１に投影される画像ＣＨを視認し易い（図１２）。
【００６４】
しかしながら、スクリーンＳＣ１を第１投影面ＳＵ１とは反対側から視認するユーザは、スクリーンＳＣ１に投影される画像ＣＨを視認し難い（図１４）。なぜなら、画像ＣＨをスクリーンＳＣ１の第１投影面ＳＵ１とは反対側から視認する方が、画像ＣＨを第１投影面ＳＵ１側から視認するよりも、画像ＣＨの輝度レベルが低下するためである。第１投影面ＳＵ１側に表示される画像ＣＨの方が、色の再現性が高くなりがちである。  
そこで、本実施形態の表示システムＳＹは、スクリーンＳＣ１の両側から画像を投影するものである。図１５は、第３の実施形態に係る表示システムＳＹを示す断面図である。
【００６５】
図１５に示すように、本実施形態では、上記第２の実施形態と比較し、表示システムＳＹがプロジェクタＰＪ２、及び第４乃至第６反射鏡Ｍ４乃至Ｍ６をさらに備えている点で相違している。本実施形態において、プロジェクタＰＪ１は第１プロジェクタとして機能し、プロジェクタＰＪ２は第２プロジェクタとして機能している。プロジェクタＰＪ１がスクリーンＳＣ１に画像を投影する際、光は、第１投影面ＳＵ１側から液晶層３０に入射される。一方、プロジェクタＰＪ２がスクリーンＳＣ１に画像を投影する際、光は、第２投影面ＳＵ２側から液晶層３０に入射される。
【００６６】
制御部ＣＯＮは、プロジェクタＰＪ１とプロジェクタＰＪ２とスクリーンＳＣ１との連動的な駆動を制御するように構成されている。制御部ＣＯＮは、スクリーンＳＣ１に画像ＣＨを投影させる期間に、プロジェクタＰＪ１及びプロジェクタＰＪ２を駆動し、スクリーンＳＣ１の両側からスクリーンＳＣ１の両面に画像ＣＨを同時に投影させることができる。例えば、制御部ＣＯＮは、プロジェクタＰＪ１及びプロジェクタＰＪ２からスクリーンＳＣ１に同一の画像を投影し、プロジェクタＰＪ１が投影する画像ＣＨ及びプロジェクタＰＪ２が投影する画像ＣＨを、スクリーンＳＣ１上にて面対称となるように調整する。
【００６７】
これにより、例えば、スクリーンＳＣ１を第１投影面ＳＵ１側から視認するユーザは、スクリーンＳＣ１に投影される画像ＣＨを視認し易く（図１２）、かつ、スクリーンＳＣ１を第２投影面ＳＵ２側から視認するユーザも、スクリーンＳＣ１に投影される画像ＣＨを視認し易い（図１６）。  
なお、プロジェクタＰＪ１がスクリーンＳＣ１に投影する画像ＣＨと、プロジェクタＰＪ２がスクリーンＳＣ１に投影する画像ＣＨとは、同一でなくともよく、互いに異なっていてもよい。
【００６８】
上述したように、スクリーンＳＣ１の両側からスクリーンＳＣ１の両面に画像ＣＨを同時に投影させることで、スクリーンＳＣ１をどちら側からみても、色再現性が高く、かつ、輝度レベルの高い画像ＣＨを表示することができる。これにより、スクリーンＳＣ１の両面に、実質的に同一品位の画像を表示することができる。そのため、例えば、屋外のサイネージ用途における表示システムＳＹの適用範囲をさらに拡大することができる。  
上述した第３の実施形態においても、少なくとも上記第２の実施形態と同様の効果を得ることができる。
【００６９】
（第４の実施形態）  
次に、第４の実施形態に係る表示システムＳＹについて説明する。図１７は、第４の実施形態に係る表示システムＳＹを示す断面図である。  
図１７に示すように、本実施形態の表示システムＳＹは、近年採用が増えている車載向けのヘッドアップディスプレイ（ＨＵＤ）に適用されている。
【００７０】
図１８に示すように、本実施形態においても、画像（映像）が表示される対象領域ＯＡ１，ＯＡ２，ＯＡ３のみ散乱状態に切替えられ、非対象領域ＮＯＡは透明状態に設定されている。対象領域ＯＡ１，ＯＡ２，ＯＡ３においては、光散乱度に関しても制御されている。
【００７１】
図１９に示すように、そのため、本実施形態の表示システムＳＹは、日中の外光が強い環境下でも、有効な画像（動画）ＣＨ１，ＣＨ２，ＣＨ３を表示することができる。言い換えると、外光が強い環境下で、ユーザが画像（動画）ＣＨ１，ＣＨ２，ＣＨ３を視認し難くなる事態を回避することができる。  
上述した第４の実施形態においても、少なくとも上記第２の実施形態と同様の効果を得ることができる。
【００７２】
（第５の実施形態）  
次に、第５の実施形態に係る表示システムＳＹについて説明する。上述した第１乃至第４の実施形態では、スクリーンＳＣ１がアクティブマトリクス型の液晶表示パネルで構成されている場合を例に説明した。但し、本実施形態では、アクティブマトリクス型ではない液晶表示パネルでスクリーンＳＣ１が構成されている。図２０は、第５の実施形態に係る表示システムＳＹのスクリーンＳＣ１の第１基板ＳＵＢ１を示す平面図であり、各種の電極ＥＬ、及び複数の配線ＷＬを示す図である。
【００７３】
図２０に示すように、本実施形態の第１基板ＳＵＢ１は、複数のゲート線Ｇ、複数のソース線Ｓ、複数のスイッチング素子ＳＷ、及びマトリクス状の複数の画素電極１１の替わりに、特定の形状の複数の電極ＥＬと、それらの電極ＥＬに一対一で接続された複数の配線ＷＬと、を有している。複数の電極ＥＬとしては、対象領域ＯＡ１に位置する電極ＥＬ１と、対象領域ＯＡ２に位置する電極ＥＬ２と、対象領域ＯＡ３に位置する電極ＥＬ３と、７セグメント表示のための複数の電極ＥＬｓ１乃至ＥＬｓ７と、を含んでいる。スクリーンＳＣ１において、電極ＥＬｓ１乃至ＥＬｓ７の各々が位置する領域は対象領域ＯＡである。電極ＥＬｓ１乃至ＥＬｓ７の７個の電極は、電極群ＥＬＧを構成している。本実施形態において、５個の電極群ＥＬＧが一方向に並べられている。
【００７４】
共通電極２１は、複数の電極ＥＬと対向している。図示しないが、上記液晶層３０は、各々の対象領域ＯＡにのみ位置し、非対象領域ＮＯＡに位置していない。言い換えると、液晶層３０は、各々の電極ＥＬと対向する領域にのみ断続的に位置している。但し、液晶層３０にＲ−ＰＤＬＣを利用している場合、液晶層３０は共通電極２１と対向する領域に位置していてもよく、この場合、液晶層３０は非対象領域ＮＯＡに位置していてもよい。
【００７５】
ＨＵＤでは、主に車載用途のセンターインフォメーションディスプレイ（ＣＩＤ）として使用されることが想定される。そのため、制御部ＣＯＮは、特定の形状の電極ＥＬを駆動し、電極ＥＬが位置する領域の光散乱度のみを制御してもよい。  
なお、プロジェクタＰＪ１が画像を投影する領域は、スクリーンＳＣ１のうち対象領域ＯＡのみである。言い換えると、プロジェクタＰＪ１が画像を投影し得る領域にのみ電極ＥＬが配置され、上記領域を対象領域に設定している。本実施形態においても、所望の画像をスクリーンＳＣ１に表示することができる。また、本実施形態では、第１基板ＳＵＢ１の一部を、複数の電極ＥＬ及び複数の配線ＷＬに置換することができるため、上述した第１乃至第４の実施形態と比較して、第１基板ＳＵＢ１の構造を簡略化することができる。これにより、製造コストを大幅に低減することができる。  
上述した第５の実施形態においても、上記第１の実施形態と同様の効果を得ることができる。
【００７６】
（第６の実施形態）  
次に、第６の実施形態に係る表示システムＳＹについて説明する。図２１は、第６の実施形態に係る表示システムＳＹのスクリーンＳＣ１、プロジェクタＰＪ１、及び鏡ＭＩを示す斜視図であり、スクリーンＳＣ１が鏡ＭＩの鏡面ＭＩＳに張り合わせられ、プロジェクタＰＪ１がスクリーンＳＣ１に画像を投影している様子を示す図である。なお、図２１において、駆動部ＤＲ１及び制御部ＣＯＮの図示を省略している。
【００７７】
図２１に示すように、本実施形態の表示システムＳＹは、鏡ＭＩをさらに備えている。本実施形態の鏡ＭＩは、車載用途のバックミラーである。スクリーンＳＣ１は、鏡ＭＩの鏡面ＭＩＳに張り合わせられている。制御部ＣＯＮは、プロジェクタＰＪ１が投影した画像を表示したい領域（対象領域ＯＡ）のみ光散乱度高くし、非対象領域ＮＯＡの光散乱度を低くすることができる。これにより、対象領域ＯＡにおける画像の表示と、鏡ＭＩの本来の機能（鏡面ＭＩＳのうちスクリーンＳＣ１が張り合わせられていない領域や非対象領域ＮＯＡにおける鏡面反射）と、を両立することができる。
【００７８】
本実施形態の表示システムＳＹは、鏡ＭＩの本来の機能を発揮することができる。そのため、バックミラー全体を完全にモニタ化する場合と比較して、ユーザに実質的に遅延のない映像（画像）を視認させることができる。  
上述した第６の実施形態においても、上記第１の実施形態と同様の効果を得ることができる。
【００７９】
（第７の実施形態）  
次に、第７の実施形態に係る表示システムＳＹについて説明する。図２２は、第７の実施形態に係る表示システムＳＹを示す断面図であり、表示システムＳＹが複数のスクリーンＳＣ１，ＳＣ２，ＳＣ３，ＳＣ４，ＳＣ５を備えている様子を示す図である。
【００８０】
図２２に示すように、表示システムＳＹは、上述した第２の実施形態と比較し、複数の光散乱装置ＤＳＰ１，ＤＳＰ２，ＤＳＰ３，ＤＳＰ４，ＤＳＰ５を備えている点で相違している。例えば、表示システムＳＹは、スクリーンＳＣ１を含む複数のスクリーンＳＣ１，ＳＣ２，ＳＣ３，ＳＣ４，ＳＣ５を備えている。光散乱装置ＤＳＰ１は、透明なスクリーンＳＣ１及び駆動部ＤＲ１を備えている。光散乱装置ＤＳＰ２は、透明なスクリーンＳＣ２及び駆動部ＤＲ２を備えている。光散乱装置ＤＳＰ３は、透明なスクリーンＳＣ３及び駆動部ＤＲ３を備えている。光散乱装置ＤＳＰ４は、透明なスクリーンＳＣ４及び駆動部ＤＲ４を備えている。光散乱装置ＤＳＰ５は、透明なスクリーンＳＣ５及び駆動部ＤＲ５を備えている。
【００８１】
各々のスクリーンＳＣ１，ＳＣ２，ＳＣ３，ＳＣ４，ＳＣ５は、投影面としての第１投影面ＳＵ１を有している。複数のスクリーンＳＣ１，ＳＣ２，ＳＣ３，ＳＣ４，ＳＣ５は、重ねられ、かつ、各々の第１投影面ＳＵ１が同一方向を向くように並べられている。制御部ＣＯＮは、プロジェクタＰＪ１と複数のスクリーンＳＣ１，ＳＣ２，ＳＣ３，ＳＣ４，ＳＣ５との連動的な駆動を制御するように構成されている。
【００８２】
制御部ＣＯＮは、複数のスクリーンＳＣ１，ＳＣ２，ＳＣ３，ＳＣ４，ＳＣ５の複数の第１投影面ＳＵ１に時分割的に画像を投影させ、複数のスクリーンＳＣ１，ＳＣ２，ＳＣ３，ＳＣ４，ＳＣ５を透明状態に設定しつつ時分割的に散乱状態に切替えるように構成されている。
【００８３】
制御部ＣＯＮは、複数のスクリーンＳＣ１，ＳＣ２，ＳＣ３，ＳＣ４，ＳＣ５に画像を投影させる期間に、複数のスクリーンＳＣ１，ＳＣ２，ＳＣ３，ＳＣ４，ＳＣ５の一のスクリーンＳＣ又は幾つかのスクリーンＳＣの各々において、画像が投影される対象領域ＯＡを散乱状態に切替え対象領域ＯＡの光散乱度を制御し、非対象領域ＮＯＡを透明状態に設定する。制御部ＣＯＮは、複数のスクリーンＳＣ１，ＳＣ２，ＳＣ３，ＳＣ４，ＳＣ５のうち対象領域ＯＡを含んでいない残りのスクリーンＳＣを透明状態に設定する。
【００８４】
例えば、スクリーンＳＣ１のみ対象領域ＯＡを含み、残りのスクリーンＳＣ２，ＳＣ３，ＳＣ４，ＳＣ５が対象領域ＯＡを含んでいない期間、制御部ＣＯＮは、スクリーンＳＣ１の対象領域ＯＡの光散乱度を制御し、スクリーンＳＣ１の非対象領域ＮＯＡ及びスクリーンＳＣ２，ＳＣ３，ＳＣ４，ＳＣ５の全体を透明状態に設定する。
【００８５】
上記のように構成された第７の実施形態に係る表示システムＳＹによれば、複数のスクリーンＳＣ１，ＳＣ２，ＳＣ３，ＳＣ４，ＳＣ５は、例えば、第１投影面ＳＵ１に垂直な方向に並べられている。複数のスクリーンＳＣ１，ＳＣ２，ＳＣ３，ＳＣ４，ＳＣ５を並べることで、表示システムＳＹに奥行き方向の情報を持たせることができる。また、時分割駆動にて、プロジェクタＰＪ１と複数のスクリーンＳＣ１，ＳＣ２，ＳＣ３，ＳＣ４，ＳＣ５とを連動して駆動させることができる。プロジェクタＰＪ１は、スクリーンＳＣ１，ＳＣ２，ＳＣ３，ＳＣ４，ＳＣ５の時分割動作に合わせて、奥行き方向の情報を持った画像（映像）を投射することができる。
【００８６】
複数のスクリーンＳＣ１，ＳＣ２，ＳＣ３，ＳＣ４，ＳＣ５の奥行き方向の情報を、平面である第１投影面ＳＵ１と垂直な方向のディメンジョンとして制御することで、画像を立体表示することができる。  
上述した第７の実施形態においても、上記第２の実施形態と同様の効果を得ることができる。なお、表示システムＳＹは、２乃至４個、又は６個以上のスクリーンＳＣを備えていてもよい。
【００８７】
（第８の実施形態）  
次に、第８の実施形態に係る表示システムＳＹについて説明する。図２３は、第８の実施形態に係る表示システムＳＹの複数のスクリーンＳＣ１，ＳＣ２，ＳＣ３，ＳＣ４，ＳＣ５と複数のプロジェクタＰＪ１，ＰＪ２，ＰＪ３，ＰＪ４，ＰＪ５とを示す断面図である。なお、図２３には、表示システムＳＹのうち、複数のスクリーンＳＣ及び複数のプロジェクタＰＪのみ図示している。
【００８８】
図２３に示すように、表示システムＳＹは、上述した第７の実施形態と比較し、複数のプロジェクタＰＪ１，ＰＪ２，ＰＪ３，ＰＪ４，ＰＪ５を備えている点で相違している。複数のプロジェクタＰＪ１，ＰＪ２，ＰＪ３，ＰＪ４，ＰＪ５は、複数のスクリーンＳＣ１，ＳＣ２，ＳＣ３，ＳＣ４，ＳＣ５に一対一で対応し、対応するスクリーンＳＣ１，ＳＣ２，ＳＣ３，ＳＣ４，ＳＣ５に焦点が合わせられている。本実施形態において、プロジェクタＰＪ１はスクリーンＳＣ１に焦点が合わせられ、プロジェクタＰＪ２はスクリーンＳＣ２に焦点が合わせられ、プロジェクタＰＪ３はスクリーンＳＣ３に焦点が合わせられ、プロジェクタＰＪ４はスクリーンＳＣ４に焦点が合わせられ、プロジェクタＰＪ５はスクリーンＳＣ５に焦点が合わせられている。
【００８９】
制御部ＣＯＮは、複数のプロジェクタＰＪ１，ＰＪ２，ＰＪ３，ＰＪ４，ＰＪ５と複数のスクリーンＳＣ１，ＳＣ２，ＳＣ３，ＳＣ４，ＳＣ５との連動的な駆動を制御するように構成されている。制御部ＣＯＮは、複数のプロジェクタＰＪ１，ＰＪ２，ＰＪ３，ＰＪ４，ＰＪ５を時分割的に駆動し、対応するスクリーンＳＣ１，ＳＣ２，ＳＣ３，ＳＣ４，ＳＣ５に時分割的に画像を投影させ、複数のスクリーンＳＣ１，ＳＣ２，ＳＣ３，ＳＣ４，ＳＣ５を透明状態に設定しつつ時分割的に散乱状態に切替える。
【００９０】
上記のように構成された第８の実施形態に係る表示システムＳＹによれば、表示システムＳＹは、複数のプロジェクタＰＪ１，ＰＪ２，ＰＪ３，ＰＪ４，ＰＪ５を備えている。プロジェクタＰＪ１，ＰＪ２，ＰＪ３，ＰＪ４，ＰＪ５の各々は、対応する単個のスクリーンＳＣに対して実質的に焦点が合わせられた状態にある。そのため、本実施形態では、上記第７の実施形態と比較し、より表示品位の高い画像を表示することができる。  
上述した第８の実施形態においても、上記第７の実施形態と同様の効果を得ることができる。なお、表示システムＳＹは、２乃至４個、又は６個以上のプロジェクタＰＪを備えていてもよい。
【００９１】
（第９の実施形態）  
次に、第９の実施形態に係る表示システムＳＹについて説明する。図２４は、第９の実施形態に係る表示システムＳＹのスクリーンＳＣ及びプロジェクタＰＪ１を示す斜視図であり、スクリーンＳＣ１上のパターンをモニタし、プロジェクタＰＪ１からスクリーンＳＣ１までの距離、及びプロジェクタＰＪ１からスクリーンＳＣ１に画像を投影する角度の情報を取得する様子を示す図である。なお、図２４には、表示システムＳＹのうち、スクリーンＳＣ１及びプロジェクタＰＪ１のみ図示している。
【００９２】
図２４に示すように、本実施形態の制御部ＣＯＮは、プロジェクタＰＪ１からスクリーンＳＣ１までの距離、及びプロジェクタＰＪ１からスクリーンＳＣ１に画像を投影する角度に基づいて、スクリーンＳＣ１上の画像のサイズ及び形状を調整するように構成されている。
【００９３】
本実施形態において、プロジェクタＰＪ１は、カメラＣＡを有している。制御部ＣＯＮは、カメラＣＡを用いてスクリーンＳＣ１上の１個以上の任意の形状のパターンｐｔをモニタし、上記距離及び上記角度の情報を取得するように構成されている。本実施形態において、上記パターンｐｔは、スクリーンＳＣ１の四隅に位置する４個のパターンｐｔ１，ｐｔ２，ｐｔ３，ｐｔ４である。制御部ＣＯＮは、パターンｐｔ１，ｐｔ２，ｐｔ３，ｐｔ４をモニタする際、スクリーンＳＣ１の光散乱度を部分的に異ならせることでスクリーンＳＣ１にパターンｐｔ１，ｐｔ２，ｐｔ３，ｐｔ４を表示させることができる。例えば、スクリーンＳＣ１のうち、パターンｐｔ１，ｐｔ２，ｐｔ３，ｐｔ４を表示させる領域のみ、光散乱度を高く調整し、残りの領域を透明状態に設定すればよい。  
上述した第９の実施形態においても、上記第１の実施形態と同様の効果を得ることができる。
【００９４】
（第１０の実施形態）  
次に、第１０の実施形態に係る表示システムＳＹについて説明する。図２５は、第１０の実施形態に係る表示システムＳＹのスクリーンＳＣ１を示す斜視図であり、スクリーンＳＣ１のうち画像が投影される領域の一部の光散乱度が制御されている様子を示す図である。なお、図２５には、表示システムＳＹのうち、スクリーンＳＣ１のみ図示している。
【００９５】
図２５に示すように、本実施形態の制御部ＣＯＮは、プロジェクタＰＪ１を駆動しスクリーンＳＣ１に画像を投影させる期間に、スクリーンＳＣ１を駆動しスクリーンＳＣ１のうち少なくとも画像が投影される領域の一部の光散乱度を制御するように構成されている。本実施形態では、位置、サイズ、及び形状に関して、対象領域ＯＡとスクリーンＳＣ１上の画像ＣＨとで同一ではない。図２５の例では、対象領域ＯＡには、スクリーンＳＣ１上に画像ＣＨが投影される領域の一部と、上記画像ＣＨが投影される領域の一部の周囲の領域とが含まれている。
【００９６】
上記のように構成された第１０の実施形態に係る表示システムＳＹによれば、スクリーンＳＣ１のうち、画像ＣＨが投影される領域の一部を散乱状態に切替えることができる。そのため、対象領域ＯＡにおいて、スクリーンＳＣ１に投影される画像ＣＨを、ユーザに視認し易くすることができる。  
上述した第１０の実施形態においても、上記第１の実施形態と同様の効果を得ることができる。
【００９７】
（比較例１）  
次に、比較例１に係る表示システムＳＹについて説明する。図２６は、比較例１に係る表示システムＳＹのスクリーンＳＣ１及びプロジェクタＰＪ１を示す斜視図であり、スクリーンＳＣ１の表示領域ＤＡの全体の光散乱度を高く設定し、プロジェクタＰＪ１がスクリーンＳＣに画像ＣＨを投影し、スクリーンＳＣ１の対象領域ＯＡに画像ＣＨを表示している様子を示す図である。
【００９８】
図２６に示すように、比較例１では、例えば、スクリーンＳＣ１を屋外に配置して表示システムＳＹを使用することができる。比較例１のスクリーンＳＣ１は、アクリルなどの透明な樹脂を利用した透明基材に光散乱材料を分散させて形成されている。比較例１のスクリーンＳＣ１は、常時、散乱状態にある。そのため、スクリーンＳＣ１の駆動は不要であり、表示システムＳＹは駆動部ＤＲ１無しに構成されている。
【００９９】
比較例１のスクリーンＳＣ１は、上記のように、常時、散乱状態であり、透明状態ではない。そのため、比較例１の場合、スクリーンＳＣ１越しに背景を視認することは困難である。また、直射日光や強い環境下にスクリーンＳＣ１がさらされると、スクリーンＳＣ１に投射した画像は、自然光に打ち消され、結果、ユーザが画像を認識することがきわめて困難になってしまう。  
上記のことから、比較例１では、背景の視認性及び表示品位を向上することが可能な表示システムを得ることは困難である。
【０１００】
（比較例２）  
次に、比較例２に係る表示システムＳＹについて説明する。図２７は、比較例２に係る表示システムＳＹのスクリーンＳＣ１及びプロジェクタＰＪ１を示す斜視図であり、スクリーンＳＣ１の表示領域ＤＡの全体の光散乱度を低く設定し、プロジェクタＰＪ１がスクリーンＳＣ１に画像ＣＨを投影し、スクリーンＳＣ１の対象領域ＯＡに画像ＣＨを表示している様子を示す図である。
【０１０１】
図２７に示すように、比較例２の表示システムＳＹは、比較例１の表示システムＳＹと比較し、スクリーンＳＣ１における光散乱材料の濃度が低い点で相違している。比較例２のスクリーンＳＣ１の光散乱度は、上記比較例１のスクリーンの光散乱度より低い。そのため、比較例２のスクリーンＳＣ１は、上記比較例１と比較し、透明度が高い。スクリーンＳＣ１越しに背景を視認することは、上記比較例１と比較し、容易となる。
【０１０２】
しかしながら、スクリーンＳＣ１に投影される画像ＣＨの輝度レベルは、上記比較例１と比較し、低くなってしまう。例えば、屋外にてスクリーンＳＣ１に投影される画像ＣＨをユーザは視認し難くなり易い。  
上記のことから、比較例２では、背景の視認性及び表示品位を向上することが可能な表示システムを得ることは困難である。
【０１０３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。必要に応じて、複数の実施形態を組合せることも可能である。
【０１０４】
例えば、液晶層３０は、ノーマル型高分子分散液晶を利用してもよい。上記の液晶層３０は、印加される電圧が高い場合に入射される光の平行度を維持し、印加される電圧が低い場合に入射される光を散乱させる。  
スクリーンＳＣは、液晶表示パネルでなくともよく、透明状態及び散乱状態を領域毎に調整可能であればよい。例えば、スクリーンＳＣは、電気泳動表示パネルであってもよい。この場合、スクリーンＳＣは、透明状態及び散乱状態に切替える複数の電気泳動素子を有している。
【符号の説明】
【０１０５】
ＳＹ…表示システム、ＰＪ１，ＰＪ２，ＰＪ３，ＰＪ４，ＰＪ５…プロジェクタ、
ＳＣ１，ＳＣ２，ＳＣ３，ＳＣ４，ＳＣ５…スクリーン、ＤＡ…表示領域、１１…画素電極、２１…共通電極、３０…液晶層、ＣＯＮ…制御部、ＭＩ…鏡、ＭＩＳ…鏡面、
ＳＵ１，ＳＵ２…投影面、ＣＡ…カメラ、ＯＡ，ＯＡ１，ＯＡ２，ＯＡ３…対象領域、
ＮＯＡ…非対象領域、ｐｔ１，ｐｔ２，ｐｔ３，ｐｔ４…パターン、ＣＨ…画像。
【図１】
2020038293.tif 000003
【図２】
2020038293.tif 000004
【図３】
2020038293.tif 000005
【図４】
2020038293.tif 000006
【図５Ａ】
2020038293.tif 000007
【図５Ｂ】
2020038293.tif 000008
【図６Ａ】
2020038293.tif 000009
【図６Ｂ】
2020038293.tif 000010
【図７】
2020038293.tif 000011
【図８】
2020038293.tif 000012
【図９】
2020038293.tif 000013
【図１０】
2020038293.tif 000014
【図１１】
2020038293.tif 000015
【図１２】
2020038293.tif 000016
【図１３】
2020038293.tif 000017
【図１４】
2020038293.tif 000018
【図１５】
2020038293.tif 000019
【図１６】
2020038293.tif 000020
【図１７】
2020038293.tif 000021
【図１８】
2020038293.tif 000022
【図１９】
2020038293.tif 000023
【図２０】
2020038293.tif 000024
【図２１】
2020038293.tif 000025
【図２２】
2020038293.tif 000026
【図２３】
2020038293.tif 000027
【図２４】
2020038293.tif 000028
【図２５】
2020038293.tif 000029
【図２６】
2020038293.tif 000030
【図２７】
2020038293.tif 000031